(57)【要約】【課題】  フレキシブルプリント基板がトレイの下面に接触しないようにすること。【解決手段】  スライドベース１０のトレイ対向面１０ａに対物レンズ付きアクチュエータとメイン基板１２とが配置され、該メイン基板１２から延びるフレキシブルプリント基板ＦＰＣの先端にフォトダイオードＰＤ付き読取部１７が設けられ、フレキシブルプリント基板ＦＰＣを略Ｌ字状に折り曲げることにより前記読取部１７がスライドベース１０の受座２８に固定されており、スライドベース１０に設けたレーザダイオードＬＤ付き発光部からレーザ光を対物レンズを通してディスクに投射し、その反射光をフォトダイオードＰＤ付き読取部１７により受光してディスクに記録されている情報を読み取るようにしたディスク装置において、フレキシブルプリント基板ＦＰＣの中央折曲部ＦＰＣａをスライドベース１０側に向けて押し下げる押さえ枠３２が前記受座２８に取り付られている。【選択図】        図１
2010160832.tif 000002
【特許請求の範囲】
【請求項１】
ディスク載置用トレイがローダーシャーシに前後進可能に配置され、該ローダーシャー
シに上下動可能に配置したトラバースシャーシにターンテーブルと光ピックアップとが配
置され、該光ピックアップがディスクの半径方向に沿って往復移動可能なスライドベース
を有し、該スライドベースのトレイ対向面に対物レンズ付きアクチュエータとメイン基板
とが配置され、該メイン基板から延びるフレキシブルプリント基板の先端にフォトダイオ
ード付き読取部が設けられ、前記フレキシブルプリント基板を略Ｌ字状に折り曲げること
により前記読取部がスライドベースの受座に固定されており、ディスクを載置したトレイ
を後進させてローダーシャーシ内に収納し、トラバースシャーシを上動させてターンテー
ブルにディスクをクランプし、該ターンテーブルによりディスクを高速回転させ、スライ
ドベースに設けたレーザダイオード付き発光部からレーザ光を対物レンズを通してディス
クに投射し、その反射光をフォトダイオード付き読取部により受光してディスクに記録さ
れている情報を読み取るようにしたディスク装置において、前記フレキシブルプリント基
板の中央折曲部をスライドベース側に向けて押し下げる押さえ枠が前記受座に取り付られ
ていることを特徴とするディスク装置。
【請求項２】
前記押さえ枠が、フレキシブルプリント基板の横幅よりも長い中央杆と、該中央杆の両
端から折り曲げられて互いに平行する一対の第１中間杆と、該各第１中間杆の先端から折
り曲げられ中央杆の長手方向とは直交する方向に延びて互いに平行する一対の第２中間杆
と、該各第２中間杆の先端から折り曲げられ中央杆と平行して互いに接近する方向に延び
る一対の短尺状端杆とからなり、前記スライドベースの受座の両側に一対の支持壁が一体
突設され、該各支持壁の端面からその各支持壁の突出方向に沿って延びるガイド溝がその
各支持壁の外側面に形成され、該各ガイド溝の奥端から直角に延びて各支持壁のトレイ対
向面まで達する係止溝が該各支持壁の外側面に形成されており、押さえ枠の各端杆を各ガ
イド溝に嵌入させ、該押さえ枠を各端杆回りで回動させて各第２中間杆を各係止溝に嵌入
させて係止することにより、その押さえ枠の中央杆をフレキシブルプリント基板に押し付
けるようにしたことを特徴とする請求項１に記載のディスク装置。
【請求項３】
前記各支持壁の外側面のガイド溝と係止溝とで囲まれた部分に、該各支持壁の端面から
係止溝に向かって外向きに傾斜する外側傾斜面と、その外側傾斜面の外側端縁から係止溝
まで内向きに傾斜する内側傾斜面とが形成されていることを特徴とする請求項２に記載の
ディスク装置。
【請求項４】
前記各支持壁の外側面にガイド溝を挟んで段差を形成することにより、該ガイド溝の係
止溝側内側面に比べてそのガイド溝の係止溝反対側内側面が広幅に形成されていることを
特徴とする請求項１〜３のいずれかに記載のディスク装置。
【発明の詳細な説明】
【技術分野】
【０００１】
本発明は、例えばＢｌｕ−ｒａｙ  Ｄｉｓｃ式のレコーダまたはプレーヤなどのディス
ク装置に関し、特に、フレキシブルプリント基板がトレイの下面に接触しないようにした
ものである。
【背景技術】
【０００２】
ディスク装置（Ｂｌｕ−ｒａｙ  Ｄｉｓｃ式のレコーダまたはプレーヤ）として図６の
平面図及び図７の縦断面図に示すものがある。これは、ディスクＤ載置用トレイ１がロー
ダーシャーシ２に前後進ａ，ｂ可能に配置され、該ローダーシャーシ２内にシャーシ本体
３ａとレバーシフト３ｂとからなるトラバースシャーシ３が配置され、前記シャーシ本体
３ａの後部がゴムからなる後側弾性体４を介してローダーシャーシ２に上下動ｃ，ｄに連
結されると共に、該シャーシ本体３ａの前部がゴムからなる前側弾性体５を介してレバー
シフト３ｂに連結され、前記シャーシ本体３ａ上にターンテーブル６付きスピンドルモー
タ７と光ピックアップ８とが配置され、該光ピックアップ８がガイドレール９に沿ってデ
ィスクＤの半径方向に沿って往復移動可能なスライドベース１０を有し、該スライドベー
ス１０のトレイ対向面に対物レンズＯＬ付きアクチュエータ１１とプリント配線基板から
なるメイン基板１２とが配置されたものである。
【０００３】
前記スライドベース１０には、ＤＶＤ・ＣＤ用のレーザダイオードＬＤ付き発光部１４
及びフォトダイオードＰＤ付き読取部１５と、ＢＤ（ブルーレイ）用のレーザダイオード
ＬＤ付き発光部１６及びフォトダイオードＰＤ付き読取部１７とが設けられている。
【０００４】
図６及び図７に示すように、前記ローダーシャーシ２の前部にカムスライダ１９が前後
進ａ，ｂ方向とは直交する左右方向ｅ，ｆに沿ってスライド可能に配置され、該カムスラ
イダ１９に形成したカム溝２０ａと、レバーシフト３ｂに突設されてカム溝２０ａに嵌入
するカムピン２０ｂとからなるカム機構２０によりカムスライダ１９とレバーシフト３ｂ
とが連動連結されている。
【０００５】
図６に示すように、前記ローダーシャーシ２の前部にピニオン２２が正逆回転ｇ，ｈ可
能に配置され、該ピニオン２２に噛合可能なカムラック２３が前記カムスライダ１９に設
けられ、該ピニオン２２に噛合可能なトレイラック（図示せず）が前記トレイ１の裏面に
前後進ａ，ｂ方向に沿って形成され、前記カムスライダ１９にガイドピン２５が突設され
ると共に、該ガイドピン２５に係合可能なガイド枠（図示せず）がトレイ１の裏面に突設
されている。図７中、２６はターンテーブル６とでディスクＤをクランプするためのクラ
ンパである。
【０００６】
操作手順を説明すると、図６及び図７に実線で示す状態は、トレイオープン状態を示し
ており、ディスクＤをトレイ１上に載置し、フィードモータによりピニオン２２を矢印ｈ
方向に回転させることにより、該ピニオン２２に噛合するトレイラック（図示せず）を介
してトレイ１を後進ｂさせてローダーシャーシ２内に収納する（図６及び図７の仮想線参
照）。
【０００７】
続いて、トレイ１の裏面のガイド枠（図示せず）の傾斜面をガイドピン２５に押しつけ
てカムスライダ１９を矢印ｅ方向にスライドさせることにより、カムラック２３をピニオ
ン２２に噛合させ、該ピニオン２２の矢印ｈ方向への回転によりカムスライダ１９を矢印
ｅ方向にスライドさせ、カム機構２０を介してトラバースシャーシ３を上動ｃさせ、ター
ンテーブル６にディスクＤをクランプし、プレーモードにする。
【０００８】
そのプレイモードでは、ターンテーブル６によりディスクＤを高速回転させ、光ピック
アップ８のレーザダイオードＬＤ付き発光部１４，１６からレーザ光を対物レンズＯＬを
通してディスクＤに投射し、その反射光をフォトダイオードＰＤ付き読取部１５，１７に
より受光してディスクＤに記録されている情報を読み取る。
【０００９】
従来、図８の要部の斜視図、図９（ａ）の側面図、図９（ｂ）の平面図及び図９（ｃ）
のＣ−Ｃ矢視図に示すように、前記フォトダイオードＰＤ付き読取部１７は、メイン基板
１２から延びるフレキシブルプリント基板ＦＰＣの先端に設けられ、その読取部１７を固
定するための受座２８がスライドベース１０の側面に形成されており、フレキシブルプリ
ント基板ＦＰＣを略Ｌ字状に折り曲げて読取部１７を受座２８に対向させ、該読取部１７
の位置を三次元調整した状態でその読取部１７を受座２８に紫外線硬化性接着剤ＵＶによ
り固定している。なお、関連する技術として特許文献１に記載したものがある。
【先行技術文献】
【特許文献】
【００１０】
【特許文献１】特開平６−６０４１１号公報
【発明の概要】
【発明が解決しようとする課題】
【００１１】
上記従来の構成では、フォトダイオードＰＤ付き読取部１７の位置調整を容易に行う必
要性からフレキシブルプリント基板ＦＰＣの長さに余裕を持たせており、図９（ａ）及び
（ｃ）に示すように、フレキシブルプリント基板ＦＰＣの中央折曲部ＦＰＣａがスライド
ベース１０から離れて膨らんでいる。従って、トラバースシャーシ３を上動ｃさせてプレ
イモードにしたときに、図９（ａ）及び（ｃ）に示すように、フレキシブルプリント基板
ＦＰＣの中央折曲部ＦＰＣａがトレイ１の下面に接触することがあり、これでは、接触の
たびに不快な接触音が生じたり、フレキシブルプリント基板ＦＰＣの中央折曲部ＦＰＣａ
が磨耗されて故障の原因になるおそれがある。
【００１２】
そこで、図９（ｃ）に仮想線で示すように、両面接着テープ２９によりフレキシブルプ
リント基板ＦＰＣをスライドベース１０のトレイ対向面１０ａに接着することにより、そ
のフレキシブルプリント基板ＦＰＣの中央折曲部ＦＰＣａを押し下げてトレイ１の下面に
接触しないようにすることが考えられている。
【００１３】
上記構成によれば、両面接着テープ２９の接着力が経年変化や高温多湿の条件下で低下
しやすく、その接着力の低下によりフレキシブルプリント基板ＦＰＣがスライドベース１
０のトレイ対向面１０ａから剥がれることがあり、これでは、そのフレキシブルプリント
基板ＦＰＣが元の状態に戻って、その中央折曲部ＦＰＣａがトレイ１の下面に接触するこ
とになる。
【００１４】
本発明は、上記従来の欠点に鑑み、フレキシブルプリント基板がトレイの下面に接触し
ないようにしたディスク装置を提供することを目的としている。
【課題を解決するための手段】
【００１５】
上記目的を達成するため、請求項１に記載の発明は、ディスク載置用トレイがローダー
シャーシに前後進可能に配置され、該ローダーシャーシに上下動可能に配置したトラバー
スシャーシにターンテーブルと光ピックアップとが配置され、該光ピックアップがディス
クの半径方向に沿って往復移動可能なスライドベースを有し、該スライドベースのトレイ
対向面に対物レンズ付きアクチュエータとメイン基板とが配置され、該メイン基板から延
びるフレキシブルプリント基板の先端にフォトダイオード付き読取部が設けられ、前記フ
レキシブルプリント基板を略Ｌ字状に折り曲げることにより前記読取部がスライドベース
の受座に固定されており、ディスクを載置したトレイを後進させてローダーシャーシ内に
収納し、トラバースシャーシを上動させてターンテーブルにディスクをクランプし、該タ
ーンテーブルによりディスクを高速回転させ、スライドベースに設けたレーザダイオード
付き発光部からレーザ光を対物レンズを通してディスクに投射し、その反射光をフォトダ
イオード付き読取部により受光してディスクに記録されている情報を読み取るようにした
ディスク装置において、前記フレキシブルプリント基板の中央折曲部をスライドベース側
に向けて押し下げる押さえ枠が前記受座に取り付られていることを特徴としている。
【００１６】
請求項２に記載の発明は、請求項１に記載の発明において、前記押さえ枠が、フレキシ
ブルプリント基板の横幅よりも長い中央杆と、該中央杆の両端から折り曲げられて互いに
平行する一対の第１中間杆と、該各第１中間杆の先端から折り曲げられ中央杆の長手方向
とは直交する方向に延びて互いに平行する一対の第２中間杆と、該各第２中間杆の先端か
ら折り曲げられ中央杆と平行して互いに接近する方向に延びる一対の短尺状端杆とからな
り、前記スライドベースの受座の両側に一対の支持壁が一体突設され、該各支持壁の端面
からその各支持壁の突出方向に沿って延びるガイド溝がその各支持壁の外側面に形成され
、該各ガイド溝の奥端から直角に延びて各支持壁のトレイ対向面まで達する係止溝が該各
支持壁の外側面に形成されており、押さえ枠の各端杆を各ガイド溝に嵌入させ、該押さえ
枠を各端杆回りで回動させて各第２中間杆を各係止溝に嵌入させて係止することにより、
その押さえ枠の中央杆をフレキシブルプリント基板に押し付けるようにしたことを特徴と
している。
【００１７】
請求項３に記載の発明は、請求項２に記載の発明において、前記各支持壁の外側面のガ
イド溝と係止溝とで囲まれた部分に、該各支持壁の端面から係止溝に向かって外向きに傾
斜する外側傾斜面と、その外側傾斜面の外側端縁から係止溝まで内向きに傾斜する内側傾
斜面とが形成されていることを特徴としている。
【００１８】
請求項４に記載の発明は、請求項１〜３のいずれかに記載の発明において、前記各支持
壁の外側面にガイド溝を挟んで段差を形成することにより、該ガイド溝の係止溝側内側面
に比べてそのガイド溝の係止溝反対側内側面が広幅に形成されていることを特徴としてい
る。
【発明の効果】
【００１９】
請求項１に記載の発明によれば、先端にフォトダイオード付き読取部を設けたフレキシ
ブルプリント基板の中央折曲部を押さえ枠でスライドベース側に向けて押し下げているの
で、そのフレキシブルプリント基板の中央折曲部がトレイの下面に接触することがなく、
従来のようにフレキシブルプリント基板の中央折曲部がトレイの下面に接触して不快な接
触音を発生させたり、その接触によりフレキシブルプリント基板の中央折曲部が磨耗され
たりすることがなくなり、フォトダイオード付き読取部による読取性能を良好に維持する
ことができる。
【００２０】
請求項２に記載の発明によれば、中央杆と一対の第１第２の中間杆及び端杆とからなる
押さえ枠を有し、フォトダイオード付き読取部を配置した受座の両側に一体突設した支持
壁の外側面にガイド溝と係止溝とが形成されているので、前記押さえ枠の各端杆を各ガイ
ド溝に嵌入させ、該押さえ枠を各端杆回りで回動させて各第２中間杆を各係止溝に嵌入さ
せて係止するだけで、その押さえ枠の中央杆によりフレキシブルプリント基板の中央折曲
部をスライドベース側に向けて押し下げて、その中央折曲部がトレイの下面に接触しない
ようにすることができる。
【００２１】
請求項３に記載の発明によれば、押さえ枠の各端杆を各ガイド溝に嵌入させ、該押さえ
枠を各端杆回りで回動させることにより、各第２中間杆が各支持壁の外側傾斜面に沿って
押し広げられて、その押さえ枠を両支持壁の外側面に容易に嵌合させることができ、続い
て、各第２中間杆が各支持壁の内側傾斜面に沿って各係止溝まで円滑に案内されて、その
押さえ枠を両支持壁の外側面に簡単に取り付けることができる。
【００２２】
請求項４に記載の発明によれば、各ガイド溝の係止溝反対側内側面が広幅に設定されて
外側に広がっているので、その係止溝反対側内側面に押さえ枠の各端杆を当てつけること
により、その各端杆を各ガイド溝に簡単に嵌入させることができる。
【図面の簡単な説明】
【００２３】
【図１】本発明の実施の一形態であるディスク装置の要部を示す斜視図である。
【図２】（ａ）は同側面図、（ｂ）は同平面図、（ｃ）はＡ−Ａ矢視図である。
【図３】（ａ）は同要部の一部拡大斜視図、（ｂ）は同要部の一部拡大平面図、（ｃ）はＢ−Ｂ矢視図である。
【図４】同押さえ枠の斜視図である。
【図５】（ａ）及び（ｂ）は押し付け手順を示す平面図と側面図である。
【図６】ディスク装置の平面図である。
【図７】同縦断面図である。
【図８】従来例を示す要部の斜視図である。
【図９】（ａ）は同側面図、（ｂ）は平面図、（ｃ）はＣ−Ｃ矢視図である。
【発明を実施するための形態】
【００２４】
図１〜図５は本発明の実施の一形態であるディスク装置（Ｂｌｕ−ｒａｙ  Ｄｉｓｃ式
のレコーダまたはプレーヤ）の要部を示すものであって、図１は同斜視図、図２（ａ）は
同側面図、図２（ｂ）は同平面図、図３（ｃ）はＡ−Ａ矢視図、図３（ａ）は同要部の一
部拡大斜視図、図３（ｂ）は同要部の一部拡大平面図、図３（ｃ）はＢ−Ｂ矢視図、図４
は同押さえ枠の斜視図、図５（ａ）及び（ｂ）は押し付け手順を示す平面図と側面図であ
る。
【００２５】
図１〜図４に示すように、スライドベース１０の受座２８の両側に支持壁３１が一体突
設され、フレキシブルプリント基板ＦＰＣの中央折曲部ＦＰＣａをスライドベース１０側
に向けて押し下げるための押さえ枠３２が前記両支持壁３１（受座２８）に着脱可能に取
り付けられている。上記以外の構成は図６〜図９に示す構成とほぼ同じであるから、同一
部分に同一符号を付してその説明を省略する。
【００２６】
図４に示すように、前記押さえ枠３２は、合成樹脂線材または金属線材からなり、フレ
キシブルプリント基板ＦＰＣの横幅ｈ１〔図２（ｂ）参照〕よりも長さｈ２が長い中央杆
３２ａと、該中央杆３２ａの両端から折り曲げられて互いに平行する一対の第１中間杆３
２ｂと、該各第１中間杆３２ｂの先端から折り曲げられ中央杆３２ａの長手方向とは直交
する方向に延びて互いに平行する一対の第２中間杆３２ｃと、該各第２中間杆３２ｃの先
端から折り曲げられ中央杆３２ａと平行して互いに接近する方向に延びる一対の短尺状端
杆３２ｄとからなっている。
【００２７】
図３に示すように、各支持壁３１の端面３１ａからその各支持壁３１の突出方向Ｘに沿
って延びる横断面略コ字状のガイド溝３３がその各支持壁３１の外側面３１ｂに形成され
、該各ガイド溝３３の奥端から直角に延びて各支持壁３１のトレイ対向面３１ｃまで達す
る横断面略Ｖ字状の係止溝３４が該各支持壁３１の外側面３１ｂに形成されている。
【００２８】
図３に示すように、各支持壁３１の外側面３１ｂのガイド溝３３と係止溝３４とで囲ま
れた部分に、該支持壁３１の端面３１ａから係止溝３４に向かって外向きに傾斜する外側
傾斜面３５と、その外側傾斜面３５の外側端縁から係止溝３４まで内向きに傾斜する内側
傾斜面３６とが形成されている。
【００２９】
図３に示すように、各支持壁３１の外側面３１ｂにガイド溝３３を挟んで段差を形成す
ることにより、該各ガイド溝３３の係止溝側内側面３３ａに比べてそのガイド溝３３の係
止溝反対側内側面３３ｂが広幅ｔに形成されて外側に広げられている。
【００３０】
押さえ枠３２による押し付け手順を説明すると、図５（ａ）及び（ｂ）に実線で示すよ
うに、押さえ枠３２の各端杆３２ｄを各ガイド溝３３に対向させ、該各端杆３２ｄを各ガ
イド溝３３の係止溝反対側内側面３３ｂに当てつけて、その各端杆３２ｄを各ガイド溝３
３に嵌入させる。続いて、押さえ枠３２を引き起こして、図５（ａ）及び（ｂ）に一点鎖
線で示すように、押さえ枠３２の各第２中間杆３２ｃを起立させて外側傾斜面３５に当接
させる。その後、図５（ａ）及び（ｂ）に二点鎖線で示すように、押さえ枠３２の各第２
中間杆３２ｃを外側傾斜面３５から内側傾斜面３６に沿って移動させ、図５（ａ）及び（
ｂ）に実線で示すように、押さえ枠３２の各第２中間杆３２ｃを各係止溝３４に係合させ
、図１及び図２に示すように、押さえ枠３２の中央杆３２ａをフレキシブルプリント基板
ＦＰＣに押し付け、該フレキシブルプリント基板ＦＰＣの中央折曲部ＦＰＣａをトレイ１
の下面から離間させる。
【００３１】
上記構成によれば、先端にフォトダイオードＰＤ付き読取部１７を設けたフレキシブル
プリント基板ＦＰＣの中央折曲部ＦＰＣａを押さえ枠３２の中央杆３２ａでスライドベー
ス１０側に向けて押し下げているので、そのフレキシブルプリント基板ＦＰＣの中央折曲
部ＦＰＣａがトレイ１の下面に接触することがなく、従来のようにフレキシブルプリント
基板ＦＰＣの中央折曲部ＦＰＣａがトレイ１の下面に接触して不快な接触音を発生させた
り、その接触によりフレキシブルプリント基板ＦＰＣの中央折曲部ＦＰＣａが磨耗された
りすることがなくなり、フォトダイオードＰＤ付き読取部１７による読取性能を良好に維
持することができる。
【００３２】
また、図４に示すように、中央杆３２ａと一対の第１第２の中間杆３２ｂ，３２ｃ及び
端杆３２ｄとからなる押さえ枠３２を有し、フォトダイオードＰＤ付き読取部１７を固定
した受座２８の両側に一体突設した支持壁３１の外側面３１ｂにガイド溝３３と係止溝３
４とが形成されているので、前記押さえ枠３２の各端杆３２ｄを各ガイド溝３３に嵌入さ
せ、該押さえ枠３２を各端杆３２ｄ回りで回動させて各第２中間杆３２ｃを各係止溝３４
に嵌入させて係止するだけで、その押さえ枠３２の中央杆３２ａによりフレキシブルプリ
ント基板ＦＰＣの中央折曲部ＦＰＣａをスライドベース１０側に向けて押し下げて、その
中央折曲部ＦＰＣａがトレイ１の下面に接触しないようにすることができる。
【００３３】
更に、図５（ａ）及び（ｂ）に示すように、押さえ枠３２の各端杆３２ｄを各ガイド溝
３３に嵌入させ、該押さえ枠３２を各端杆３２ｄ回りで回動させることにより、各第２中
間杆３２ｃが各支持壁３１の外側傾斜面３５に沿って押し広げられて、その押さえ枠３２
を両支持壁３１の外側面３１ｂに容易に嵌合させることができ、続いて、各第２中間杆３
２ｃが各支持壁３１の内側傾斜面３６に沿って各係止溝３４まで円滑に案内されて、その
押さえ枠３２を両支持壁３１の外側面３１ｂに簡単に取り付けることができる。
【００３４】
しかも、各ガイド溝３３の係止溝反対側内側面３３ｂが広幅に設定されて外側に広がっ
ているので、その係止溝反対側内側面３３ｂに押さえ枠３２の各端杆３２ｄを当てつける
ことにより、その各端杆３２ｄを各ガイド溝３３に簡単に嵌入させることができる。
【符号の説明】
【００３５】
１          トレイ
２          ローダーシャーシ
３          トラバースシャーシ
６          ターンテーブル
８          光ピックアップ
１０        スライドベース
１１        アクチュエータ
１２        メイン基板
１７        フォトダイオード付き読取部
３１        支持壁
３１ａ      支持壁の端面
３１ｂ      支持壁の外側面
３１ｃ      支持壁のトレイ対向面
３２        押さえ枠
３２ａ      押さえ枠の中央杆
３２ｂ      押さえ枠の第１中間杆
３２ｃ      押さえ枠の第２中間杆
３２ｄ      押さえ枠の端杆
３３        ガイド溝
３３ａ      ガイド溝の係止溝側内側面
３３ｂ      ガイド溝の係止溝反対側内側面
３４        係止溝
３５        外側傾斜面
３６        内側傾斜面
Ｄ          ディスク
ＯＬ        対物レンズ
ＦＰＣ      フレキシブルプリント基板
ＦＰＣａ    フレキシブルプリント基板の中央折曲部
【図１】
2010160832.tif 000003
【図２】
2010160832.tif 000004
【図３】
2010160832.tif 000005
【図４】
2010160832.tif 000006
【図５】
2010160832.tif 000007
【図６】
2010160832.tif 000008
【図７】
2010160832.tif 000009
【図８】
2010160832.tif 000010
【図９】
2010160832.tif 000011